(57)【特許請求の範囲】
【請求項１】
操作時に固有のＩＤコード及び制御種別を表す機能コードを含む伝送コードを送信する送信機、及び、受信したＩＤコードを書込み可能なＩＤコード記憶部と、制御機能停止コードが書き込まれる制御機能停止記憶部と、信号処理部と、前記信号処理部の動作モードを設定するモード制御部とを備える受信機を具備し、前記モード制御部で設定される動作モードは、受信した前記ＩＤコードと前記ＩＤコード記憶部に書込まれているＩＤコードとを比較し、それらが一致したと判断したとき、前記機能コードの制御種別に対応する制御信号を被制御部に出力する通常モードと、前記通常モードの設定時に、外部印加情報が第１の所定の供給状態で供給され、その供給の途中で受信された機能コードからなる伝送コードが規定の時間内に供給されたとき、前記ＩＤコード記憶部に前記ＩＤコードを書込み可能になるＩＤコード書込みモードと、前記通常モードの設定時に、外部印加情報が第２の所定の供給状態で供給され、その供給の途中で受信された機能コードからなる伝送コードが規定の時間内に供給されたとき、前記制御信号の被制御部への出力を停止する制御信号出力停止モードとであって、前記モード制御部は、前記ＩＤコード書込みモードの設定時に、一定時間の経過により前記ＩＤコード書込みモードを前記通常モードに復帰させ、前記制御信号出力停止モードの設定時に、外部印加情報が第３の所定の供給状態で供給され、その供給の途中で受信された機能コードからなる伝送コードが規定の時間内に供給されたとき、前記制御信号出力停止モードを前記通常モードに復帰させるように動作することを特徴とする通信装置。
【請求項２】
前記モード制御部で設定される動作モードが前記通常モードから前記ＩＤコード書込みモードを経て前記通常モードに復帰した際に、外部印加情報が第２の所定の供給状態で供給され、その供給の途中で受信された機能コードからなる伝送コードが規定の時間内に供給されたときに限って、前記モード制御部の動作モードが前記制御信号出力停止モードに設定されることを特徴とする請求項１に記載の通信装置。
【請求項３】
前記モード制御部で設定される動作モードが前記制御信号出力停止モードに設定された際に、前記制御機能停止記憶部に制御機能停止コードが書込まれ、前記モード制御部が前記制御機能停止モードから前記通常モードに復帰した場合に前記制御機能停止記憶部に書込まれた前記制御機能停止コードが消去されることを特徴とする請求項１もしくは２に記載の通信装置。
【請求項４】
前記外部印加情報は、自動車のイグニッションキーの操作によって得られる情報であることを特徴とする請求項１もしくは３のいずれかに記載の通信装置。
【発明の詳細な説明】
【０００１】
【発明の属する技術分野】
本発明は、通信装置に係わり、特に、１個以上のリモートコントロール（リモコン）用送信機と移動体、例えば自動車等の内部に設置される１台の受信機とを備え、送信機から送信される各種スイッチ情報を受信機で受信した際に、スイッチ情報の種別に応じて、移動体、例えば自動車等の可制御設備機器を選択的に制御動作させる通信装置に関する。
【０００２】
【従来の技術】
従来、１個以上のリモコン用送信機と自動車等の内部に設置される１台の受信機とを備え、送信機から送信される各種スイッチ情報を受信機で受信した際に、スイッチ情報の種別に応じて、自動車等の可制御設備機器を選択的に制御動作させる通信装置としては、キーレスエントリー装置が知られている。
【０００３】
図６は、かかる既知のキーレスエントリー装置の構成の一例を示す概略構成図であって、特公平７−７１３３７号に開示のものである。
【０００４】
図６に示されるように、このキーレスエントリー装置は、複数個、例えば、３個のリモコン用送信機４１（１）、４１（２）、４１（３）と、自動車内に設置される１台の受信機４２とからなっている。
【０００５】
そして、３個のリモコン用送信機４１（１）乃至４１（３）は、送信信号を形成する送信回路部４３（１）乃至４３（３）と、それぞれの送信機４１（１）乃至４１（３）に固有の識別データＲ（１）乃至Ｒ（３）を記憶している識別データ記憶部（ＲＯＭ）４４（１）乃至４４（３）と、送信アンテナ４５（１）乃至４５（３）を備えている。
【０００６】
また、受信機４２は、受信アンテナ４６を通して信号の受信や、受信信号の増幅や、増幅信号の波形整形等を行う受信回路部４７と、各種の動作モードを有しており、種々の制御動作を行う信号処理部４８と、識別データＲ（１）乃至Ｒ（３）を記憶する記憶部（ＥＥＰＲＯＭ）４９と、２つのスイッチ５０（１）、５０（２）からなり、それらの開閉状態に対応して信号処理部４８の動作モードを、通常モード、書込みモード、消去モードのいずれかに設定する設定スイッチ５０と、自動車のドアの施錠または解錠を行うドア制御部５１と、発光ダイオードやホーン等を有しており、書込みモードまたは消去モードから通常モードに移行する際に働く表示報知部５２と、信号処理部４８に内蔵のタイマー５３とを備えている。
【０００７】
前記構成によるキーレスエントリー装置は、概略、次のように動作する。
【０００８】
まず、受信機４２側の信号処理部４８を通常モードに設定する、即ち、記憶部４９への識別データＲ（１）乃至Ｒ（３）の書込み、または、記憶部４９に記憶されている識別データＲ（１）乃至Ｒ（３）の消去を行わない場合には、受信機４２側の設定スイッチ５０の２つのスイッチ５０（１）、５０（２）をいずれも開いておく。
【０００９】
この状態のとき、３個のリモコン用送信機４１（１）乃至４１（３）の中の１個、例えば、リモコン用送信機４１（１）が操作されると、リモコン用送信機４１（１）の送信回路部４３（１）において、自動車のドアを施錠または解錠を指定し、かつ、識別データ記憶部４４（１）に記憶されている識別データＲ（１）を含んだ制御信号（ＦＳＫ変調信号）が形成され、この制御信号が送信アンテナ４５（１）から無線周波数（ＲＦ）信号からなる送信信号として送信される。
【００１０】
受信機４２においては、リモコン用送信機４１（１）の送信信号が受信アンテナ４６を介して受信回路部４７で受信されると、受信された制御信号を増幅及び波形整形し、信号処理部４８に供給する。このとき、信号処理部４８は、始めに、受信された制御信号の中の識別データＲ（１）と記憶部４９に記憶されている識別データＲ（１）とを比較し、それらが一致した場合、次に、ドア制御部５２を介して、自動車のドアの状態を識別し、ドアが施錠されていたときに解錠し、ドアが解錠されていたときに施錠する制御信号をドアに供給する。
【００１１】
次いで、受信機４２側の信号処理部４８の動作モードを書込みモードに設定する、即ち、記憶部４９に識別データＲ（１）乃至Ｒ（３）の書込みを行う場合には、受信機４２側の設定スイッチ５０の一方のスイッチ５０（１）のみを閉じ、タイマー５３をスタートさせる。
【００１２】
この書込みモード設定の時点の直後に、３個のリモコン用送信機４１（１）乃至４１（３）の中の１個、例えば、リモコン用送信機４１（１）が操作され、リモコン用送信機４１（１）の送信回路部４３（１）において、識別データ記憶部４４（１）に記憶されている識別データＲ（１）を含んだ制御信号が形成され、この制御信号が送信アンテナ４５（１）から送信信号として送信されると、受信機４２側では、受信回路部４７で受信された制御信号を信号処理部４８に供給したとき、信号処理部４８は、この制御信号の中の識別データＲ（１）を記憶部４９に供給し、記憶部４９に識別データＲ（１）の書込みを行う。そして、タイマー５３でカウントされたカウント値ｔが予設定値Ｔ、例えば、５秒に達すると、表示報知部５２が一時的に働いて動作モードの変更を予告した後、信号処理部４８の動作モードは、書込みモードから通常モードに自動的に復帰する。
【００１３】
続いて、受信機４２側の信号処理部４８の動作モードを消去モードに設定する、即ち、記憶部４９に記憶されている識別データＲ（１）乃至Ｒ（３）の一括消去を行う場合には、まず、受信機４２側の設定スイッチ５０の一方のスイッチ５０（１）のみを閉じ、タイマー５３をスタートさせ、その直後に、設定スイッチ５０の他方のスイッチ５０（２）も閉じる。
【００１４】
このようなスイッチ５０（１）、５０（２）の設定が行われると、記憶部４９に記憶されている識別データＲ（１）乃至Ｒ（３）の一括消去が行われ、識別データＲ（１）乃至Ｒ（３）の一括消去が終了すると、表示報知部５２が一時的に働いて記憶部４９の記憶内容の消去完了を知らせた後、信号処理部４８の動作モードは、消去モードから通常モードに自動的に復帰する。
【００１５】
この場合、記憶部４９は、複数個（ｋ個）の記憶領域を有しており、それらの記憶領域に複数個の識別データＲの書込みを行う場合、書込みが行う度毎に、識別データＲがｋ個の記憶領域に順次書込まれるが、ｋ＋１個またはそれ以上の個数の識別データＲを書込んだ場合には、最初に書込まれた識別データＲから順に新しい識別データＲに更新され、書替えられるものである。
【００１６】
既知のキーレスエントリー装置によれば、リモコン用送信機４１（１）乃至４１（３）の中の１つを紛失したような場合、そのリモコン用送信機４１（１）を含む全てのリモコン用送信機４１（２）、４１（３）に固有の識別データＲ（１）乃至Ｒ（３）を受信機側４２の記憶部４９から一括消去することができるので、セキュリテイの高いキーレスエントリー装置が得られるものである。
【００１７】
【発明が解決しようとする課題】
一般に、複数個のリモコン用送信機４１（１）乃至４１（３）の中の１つ、例えばリモコン用送信機４１（１）を紛失した場合、そのリモコン用送信機４１（１）を使用できないことが求められている。
【００１８】
前記既知のキーレスエントリー装置は、記憶部４９に既に記憶されている識別データＲ（１）を新たに別の識別データに書替えることによって、紛失したリモコン用送信機４１（１）の識別データＲ（１）を記憶部４９から消去する、または、記憶部４９に記憶されている複数の識別データＲ（１）乃至Ｒ（３）を一括消去することによって、紛失したリモコン用送信機４１（１）の識別データＲ（１）を記憶部４９から消去するようにして、その求めに応じている。
【００１９】
この場合、前記既知のキーレスエントリー装置は、記憶部４９のどの記憶領域にどのような識別データが記憶されているかが判らないことから、記憶部４９からリモコン用送信機４１（１）の識別データＲ（１）を消去する場合、記憶部４９の全ての記憶領域に記憶されている識別データＲ（１）乃至Ｒ（３）に対し、識別データＲ（１）を除いた他のリモコン用送信機４１（２）乃至４１（３）の識別データＲ（２）乃至Ｒ（３）を上書きすることによって消去しなければならない。
【００２０】
ところで、リモコン用送信機４１（１）を紛失し、そのリモコン用送信機４１（１）の識別データＲ（１）を記憶部４９から消去した後で、紛失したリモコン用送信機４１（１）が見つかったときは、そのリモコン用送信機４１（１）を再使用できるようにするため、再度、記憶部４９にリモコン用送信機４１（１）の識別データＲ（１）を書込む必要がある。
【００２１】
このような場合、前記既知のキーレスエントリー装置は、消去した識別データＲ（１）を再度記憶部４９に書込む場合においても、リモコン用送信機４１（１）の識別データＲ（１）の書込みであるにも係わらず、リモコン用送信機４１（１）を含む全部のリモコン用送信機４１（１）乃至４１（３）の識別データＲ（１）乃至Ｒ（３）の書込みを行う必要がある。さらに、前記既知のキーレスエントリー装置は、記憶部４９から全部のリモコン用送信機４１（１）乃至４１（３）の識別データＲ（１）乃至Ｒ（３）を一括消去した場合、再度、受信機４２でキーレスエントリー動作を可能にするためには、やはり、リモコン用送信機４１（１）を含む全部のリモコン用送信機４１（１）乃至４１（３）の識別データＲ（１）乃至Ｒ（３）の書込みを行う必要がある。
【００２２】
このように、前記既知のキーレスエントリー装置は、紛失したリモコン用送信機４１（１）を使用できなくした後に、紛失したリモコン用送信機４１（１）が見つかった場合に、そのリモコン用送信機４１（１）を再度使用できるようにするために、全部のリモコン用送信機４１（１）乃至４１（３）の識別データＲ（１）乃至Ｒ（３）の再書込みを行うという煩雑な操作を必要とするという問題を有している。
【００２３】
本発明は、かかる問題点を解決するもので、その目的は、紛失した送信機の不正使用を防ぎ、紛失した送信機が見つかったとき簡単な操作によってその送信機の使用を可能にする通信装置を提供することにある。
【００２４】
【課題を解決するための手段】
前記目的を達成させるために、本発明による通信装置は、操作時に固有のＩＤコード及び制御種別を表す機能コードを含む伝送コードを送信する送信機、及び、受信したＩＤコードを書込み可能なＩＤコード記憶部と、制御機能停止コードが書き込まれる制御機能停止記憶部と、信号処理部と、信号処理部の動作モードを設定するモード制御部とを備える受信機を具備し、モード制御部で設定される動作モードは、受信したＩＤコードとＩＤコード記憶部に書込まれているＩＤコードとを比較し、それらが一致したと判断したとき、機能コードの制御種別に対応する制御信号を被制御部に出力する通常モードと、通常モードの設定時に、外部印加情報が第１の所定の供給状態で供給され、その供給の途中で受信された機能コードからなる伝送コードが規定の時間内に供給されたとき、ＩＤコード記憶部にＩＤコードを書込み可能になるＩＤコード書込みモードと、通常モードの設定時に、外部印加情報が第２の所定の供給状態で供給され、その供給の途中で受信された機能コードからなる伝送コードが規定の時間内に供給されたとき、制御信号の被制御部への出力を停止する制御信号出力停止モードとであって、モード制御部は、ＩＤコード書込みモードの設定時に、一定時間の経過によりＩＤコード書込みモードを通常モードに復帰させ、制御信号出力停止モードの設定時に、外部印加情報が第３の所定の供給状態で供給され、その供給の途中で受信された機能コードからなる伝送コードが規定の時間内に供給されたとき、制御信号出力停止モードを通常モードに復帰させるように動作する手段を具備している。
【００２５】
かかる手段を採用すれば、１つ以上の送信機の中の１つを紛失した際に、受信機側の信号処理部の動作モードを通常モードから制御信号出力停止モードに設定することによって、紛失した送信機が使用できなくなり、紛失した送信機の悪用を防ぐことができる。
【００２６】
また、かかる手段を採用すれば、信号処理部の動作モードを、通常モードからＩＤコード書込みモードに設定するとき、通常モードから制御信号出力停止モードに設定するとき、制御信号出力停止モードから通常モードに設定するときのいずれにおいても、主な操作手順が共通であり、それ以外の操作手順が設定別に僅かに異なるだけであるので、ユーザー側において操作手順を覚え易く、紛失した送信機が見つかったときも、簡単な操作手順によって再使用が可能になる。
【００２７】
【発明の実施の形態】
本発明の実施の形態において、通信装置は、操作時に固有のＩＤコード及び制御種別を表す機能コードを含む伝送コードを送信する送信機、及び、受信したＩＤコードを書込み可能なＩＤコード記憶部と、制御機能停止コードが書き込まれる制御機能停止記憶部と、信号処理部と、信号処理部の動作モードを設定するモード制御部とを備える受信機を具備し、モード制御部で設定される動作モードは、受信したＩＤコードとＩＤコード記憶部に書込まれているＩＤコードとを比較し、それらが一致したと判断したとき、機能コードの制御種別に対応する制御信号を被制御部に出力する通常モードと、通常モードの設定時に、外部印加情報が第１の所定の供給状態で供給され、その供給の途中で受信された機能コードからなる伝送コードが規定の時間内に供給されたとき、ＩＤコード記憶部にＩＤコードを書込み可能になるＩＤコード書込みモードと、通常モードの設定時に、外部印加情報が第２の所定の供給状態で供給され、その供給の途中で受信された機能コードからなる伝送コードが規定の時間内に供給されたとき、制御信号の被制御部への出力を停止する制御信号出力停止モードとであって、モード制御部は、ＩＤコード書込みモードの設定時に、一定時間の経過によりＩＤコード書込みモードを通常モードに復帰させ、制御信号出力停止モードの設定時に、外部印加情報が第３の所定の供給状態で供給され、その供給の途中で受信された機能コードからなる伝送コードが規定の時間内に供給されたとき、制御信号出力停止モードを通常モードに復帰させるように動作するものである。
【００２８】
本発明の実施の形態の１つにおいて、通信装置は、信号処理部の動作モードが通常モードから前記ＩＤコード書込みモード、さらに、ＩＤコード書込みモードから通常モードに設定された際、伝送コード及び外部印加情報が第２の所定の供給状態で供給された場合に限って、信号処理部の動作モードが制御信号出力停止モードに設定されるものである。
【００２９】
また、本発明の実施の形態の他のものにおいて、通信装置は、信号処理部の動作モードが制御信号出力停止モードに設定される場合に制御機能停止記憶部に制御機能停止コードが書込まれ、制御信号出力停止モード信号から通常モードに再設定される場合に制御機能停止記憶部に書込まれた制御機能停止コードが消去されるものである。
【００３０】
さらに、本発明の実施の形態の好適例において、外部印加情報は、自動車のイグニッションキーの操作によって得られる情報からなっている。
【００３１】
また、本発明の実施の形態の他の好適例において、送信機は、ＩＤコードや機能コードとともにローリングコードを送信し、受信機は、受信したローリングコードの適否を判定し、適である場合に限って、信号処理部から被制御部に対して受信した機能コードの種別に応じた制御信号を発生するものである。
【００３２】
本発明の実施の形態によれば、１つ以上の送信機の中の１つを何等かの理由によって紛失した際、受信機の信号処理部の動作モードを通常モードから制御信号出力停止モードに設定するようにすれば、この紛失した送信機の使用をすることができなくなり、紛失した送信機が悪用されるのを防ぐことができる。
【００３３】
また、本発明の実施の形態によれば、受信機の信号処理部の動作モードを、モード制御部の制御によって変更する、即ち、通常モードからＩＤコード書込みモードに設定するとき、通常モードから制御信号出力停止モードに設定するとき、制御信号出力停止モードから通常モードに設定するときのそれぞれにおいて、主な操作手順が共通の操作になるように決められており、主な操作手順を除いたその他の操作手順がそれぞれの設定時毎に僅かに異なっているに過ぎないので、ユーザー側でこれらの設定を行う場合に、操作手順が覚え易くなり、間違った操作手順で設定が行われることが極めて少ないものである。
【００３４】
さらに、本発明の実施の形態によれば、前に紛失した送信機が見つかった場合に、受信機の信号処理部の動作モードを、制御信号出力停止モードから通常モードに変更すれば、簡単な操作手順によってこの送信機の再使用が可能になる。
【００３５】
【実施例】
以下、本発明の実施例を図面を参照して説明する。
【００３６】
図１は、本発明に係わる通信装置の送信機の一実施例を示すブロック構成図、図２は、本発明に係わる通信装置の受信機の一実施例を示すブロック構成図であって、通信装置がキーレスエントリー装置である例を示すものである。
【００３７】
図１及び図２に示されるように、本実施例のキーレスエントリー装置は、少なくとも１個のリモコン用送信機（１つだけを図示しており、全部が同じ構成のものである）１と、自動車内に設置される１台の受信機２とからなっている。
【００３８】
そして、リモコン用送信機１は、送信スイッチ部３と、カウント部４と、カウント数記憶部５と、可変コード変換部６と、機能コード変換部７と、ＩＤコード記憶部８と、伝送コード変換部９と、送信部１０と、送信アンテナ１１とを備えており、それらは図１に図示されるように相互接続されている。
【００３９】
この場合、送信スイッチ部３は、自動車の被制御部の制御、例えば、ドアの施錠／解錠、トランクの開閉等を行わせる各種のスイッチ情報を発生し、カウント部４は、後述する送信部１０の送信動作をカウントする。カウント数記憶部５は、カウント部４のカウント値を記憶し、可変コード変換部６は、送信スイッチ３からスイッチ情報を受け取る度毎に、カウント数記憶部５からカウント値を呼び出し、カウント値に応じた異なる値の数値コードを出力する。機能コード変換部７は、送信スイッチ部３から出力されるスイッチ情報を情報内容に対応した機能コードに変換し、ＩＤコード記憶部８は、リモコン用送信機１に固有のＩＤコードを記憶している。伝送コード変換部９は、先頭コード、ＩＤコード、機能コード、可変コード、終了コードからなる伝送コードを形成し、送信部１０は、送信コード変換部９で得られた伝送コードを送信信号の形に変換し、この送信信号を送信アンテナ１１を介して送信するものである。
【００４０】
また、受信機２は、受信アンテナ１２と、受信部１３と、信号処理部１４と、ＩＤコード記憶部１５と、可変コード記憶部１６と、機能コード記憶部１７と、モード制御部１８と、制御機能停止記憶部１９とを備えており、それらは図２に図示されるように相互接続されている。ここで、信号処理部１４及びモード制御部１８は、中央制御部（ＣＰＵ）を構成しており、ＩＤコード記憶部１５、可変コード記憶部１６、機能コード記憶部１７及び制御機能停止記憶部１９は、電気的に書込み／読出し可能なメモリ（ＥＥＰＲＯＭ）を構成している。
【００４１】
この場合、受信部１３は、受信アンテナ１２で検知された送信信号を受信し、伝送コードを再生し、信号処理部１４は、伝送コード中のＩＤコードとＩＤコード記憶部１５に記憶されているＩＤコード、伝送コード中の可変コード（数値コード）と可変コード記憶部１６に記憶されている可変コード（数値コード）とを比較し、これらが一定の範囲内で一致しているときに、伝送コード中の機能コードと機能コード記憶部１７に記憶されている機能コードとを照合し、機能コードに対応した制御信号を自動車の被制御部（図示なし）に供給する。モード制御部１８は、タイマー２０や自動車のイグニッションキー２１に接続され、以下に詳しく述べるように、入力信号が所定の条件を満たしているときに、信号処理部１４の動作モードを、通常モード、ＩＤコード書込みモード、制御信号出力停止モードのいずれかに設定する。前述の一連の動作は、動作モードが通常モードに設定されている場合であり、信号処理部１４は機能コードに対応する制御信号を発生して自動車の被制御部（図示なし）に供給し、動作モードがＩＤコード書込みモードに設定されている際には伝送コード中のＩＤコードをＩＤコード記憶部１５に書込む。制御機能停止記憶部１９は、モード制御部１８から供給される制御機能停止コードが書込まれたときに、信号処理部１４の動作モードを、何等の制御信号をも発生しない制御信号出力停止モードに保持させるように働く。
【００４２】
図１及び図２に図示のキーレスエントリー装置において、信号処理部１４の動作モードが通常モードに設定されている場合の動作は、次のとおりである。
【００４３】
リモコン用送信機１側において、送信スイッチ３、具体的には送信スイッチ３の中の制御したい被制御部、例えばドアに対応するスイッチが操作されると、スイッチ情報が可変コード変換部６と機能コード変換部７に供給される。可変コード変換部６は、読み出した更新カウント値に対応して前に出力した数値コードと異なる値の数値（可変）コードを出力し、送信コード変換部９に供給する。なお、可変コード変換部６における更新カウント値に対応した数値コードの変更は、一定の数値法則にしたがった変更であっても、ランダムな変更であってもよい。機能コード変換部７は、供給されるスイッチ情報の種別に対応した機能コード、例えばドアの施錠／解錠を行わせるコードに変換し、送信コード変換部９に供給する。このとき、ＩＤコード記憶部８も、記憶されているこのリモコン用送信機１に固有のＩＤコードを出力し、送信コード変換部９に供給する。送信コード変換部９は、供給されたＩＤコード、機能コード、数値（可変）コードに先頭コードと終了コードを組み合わせた伝送コードを形成し、送信部１０に供給する。送信部１０は、供給された伝送コードを無線周波数（ＲＦ）信号に載せ、送信アンテナ１１から送信信号として送信される。
【００４４】
カウント部４は、供給された送信動作情報に応答してカウント数記憶部５に記憶されている以前のカウント値を読み出してそのカウント値を１つだけ更新し、カウント数記憶部５を更新カウント値に書替える。
【００４５】
受信機２において、リモコン用送信機１の送信信号が受信アンテナ１２を介して受信部１３で受信されると、受信部１３は、伝送コードを再生した後、増幅及び波形整形し、信号処理部１４に供給する。信号処理部１４は、供給された伝送コードの中のＩＤコードとＩＤコード記憶部１５に記憶されているＩＤコードとを比較し、それらが一致した場合に供給された伝送コードの中の数値（可変）コードと可変コード記憶部１６に記憶されている数値（可変）コードとを比較する。それらが一定の範囲内で一致している場合に供給された伝送コードの中の機能コードと機能コード記憶部１７に記憶されている各種の機能コードとを比較し、各種の機能コードの中に供給された機能コードと一致するものがあった場合に、例えばドアの施錠／解錠を行う制御信号を発生し、この制御信号をドア制御部（図示なし）に供給する。これにより、自動車のドアは、施錠されていたときに解錠が行われ、解錠されていたときに施錠が行われる。また、モードの如何に係わらず、伝送コードに含まれる可変コードを可変コード記憶部１６に書き込む。
【００４６】
なお、信号処理部１４において、ＩＤコード、数値（可変）コード、機能コードをそれぞれ比較した際に、それらのコードのいずれかが一致または略一致範囲であると判断されなかったとき、処理は中断される。
【００４７】
次いで、図３は、本実施例のキーレスエントリー装置において、信号処理部１４の動作モードがＩＤコード書込みモードに設定され、そのときにＩＤコード記憶部１５にＩＤコードの書込みが行われる場合の操作手順の一例を示す動作説明図である。
【００４８】
ここで、図３を用い、本実施例のキーレスエントリー装置を、伝送コード及び外部印加情報の第１の所定の供給状態に応答して通常モードからＩＤコード書込みモードに設定し、その後に、ＩＤコードの書込みを行う場合の操作手順について説明する。なお、このような操作は、複数のリモコン用送信機１の中の１つを紛失したとき、その紛失したリモコン用送信機１に固有のＩＤコードを除いた残りのリモコン用送信機１に固有のＩＤコードを受信機２側のＩＤコード記憶部１５に再書込みする場合等に実行される。
【００４９】
最初に、信号処理部１４の動作モードを、通常モードからＩＤコード書込みモードに設定する場合は、次のような手順で行われる。
【００５０】
まず、自動車のイグニッションキー２１をアクセサリ（ＡＣＣ）位置（図３にはＯＦＦで示している）からオン（ＯＮ）位置（図３にはＯＮで示している）に切替えてＯＮパルスをモード制御部１８に供給する。このＯＮパルスの供給期間、ＯＮパルスの供給が開始されてから時間Ｔ１が経た後に、残存するリモコン用送信機１の送信スイッチ３の中のロック（ＬＯＣＫ）、アンロック（ＵＮＬＯＣＫ）、パニックオフ（ＰＡＮＩＣ−ＯＦＦ）のいずれかのスイッチを操作し、その操作に伴って得られる機能コードを伝送コードに変換してリモコン用送信機１から送信し、受信機２側では、受信した伝送コードの中の機能コードをモード制御部１８に供給する。そして、機能コードの供給が停止されてから時間Ｔ２以内に、イグニッションキー２１をＯＮ位置からＡＣＣ位置に切替え、ＯＮパルスの供給を停止させて最初の状態に戻り、第１の動作サイクルが終了する。
【００５１】
かかる第１の動作サイクルにおいて、ＯＮパルスの供給が停止されてから時間Ｔ３以内に、再び、イグニッションキー２４をＡＣＣ位置からＯＮ位置に切替えてＯＮパルスをモード制御部１８に供給する。このＯＮパルスの供給期間にも、ＯＮパルスの供給が開始されてから時間Ｔ１以内に、リモコン用送信機１の送信スイッチ３の中のスイッチのうち、第１の動作サイクルで操作したスイッチを操作し、その操作に伴って得られる機能コードをリモコン用送信機１から送信し、受信した機能コードをモード制御部１８に供給する。その後、機能コードの供給が停止されてから時間Ｔ２以内に、イグニッションキー２１をＯＮ位置からＡＣＣ位置に切替え、ＯＮパルスの供給を停止させて再び最初の状態に戻り、第２の動作サイクルが終了する。
【００５２】
かかる第２の動作サイクルにおいて、ＯＮパルスの供給が停止されてから時間Ｔ３以内に、再び、イグニッションキー２１をＡＣＣ位置からＯＮ位置に切替えてＯＮパルスをモード制御部１８に供給すると、第３の動作サイクルが開始される。この第３の動作サイクルも、第１及び第２の動作サイクルと全く同じであるので、途中の操作経緯を省略するが、イグニッションキー２１をＯＮ位置からＡＣＣ位置に切替え、ＯＮパルスの供給を停止させて再び最初の状態に戻ることによって、第３の動作サイクルが終了する。
【００５３】
かかる第３の動作サイクルにおいて、ＯＮパルスの供給が停止されてから時間Ｔ３以内に、再び、イグニッションキー２４をＡＣＣ位置からＯＮ位置に切替えてＯＮパルスをモード制御部１８に供給すると、第４の動作サイクルが開始される。この第４の動作サイクル時には、ＯＮパルスの供給が開始されてから時間Ｔ１以内に、受信した機能コードをモード制御部１８に供給するまでは第１乃至第３の動作サイクルと同じであるが、機能コードの供給が停止されてから時間Ｔ４が経たときに、信号処理部１４の動作モードがＩＤコード書込みモードに設定される。ＩＤコード書込みモードに設定されると、モード制御部１８は、信号処理部１４を付勢し、信号処理部１４からドアをロックする制御信号とドアをアンロックする制御信号とを時間Ｔ５の期間内に相次いで出力させ、それによってドアのロック錠を働かせ、信号処理部１４がＩＤコード書込みモードに設定されたことを知らせる。
【００５４】
次に、ＩＤコードの書込みを行う操作手順について説明する。
【００５５】
ＩＤコード書込みモードに設定されてから、残存する第１のリモコン用送信機１の操作によってＩＤコード記憶部１５に書込むための第１のＩＤコードを含んだ伝送コードを送信し、受信機２で伝送コードが受信された際に、モード制御部１８にこの伝送コードとイグニッションキー２１からのＯＮパルスが同時に供給されると、モード制御部１８は、伝送コードの供給が停止してから時間Ｔ４以内に、信号処理部１４を付勢し、信号処理部１４から伝送コードの中の第１のＩＤコードをＩＤコード記憶部１５に供給して、ＩＤコード記憶部１５への第１のＩＤコードの書込みを行い、これと同時に、信号処理部１４からドアをロックする制御信号とドアをアンロックする制御信号とを時間Ｔ５の期間内に相次いで出力させ、それによってドアのロック錠を働かせることにより、ＩＤコードがＩＤコード記憶部１５に書込まれたことを知ることができる。
【００５６】
そして、信号処理部１４からドアをロックする制御信号とドアをアンロックする制御信号の出力が停止してから、再度、残存する第２のリモコン用送信機１の操作によってＩＤコード記憶部１５に書込むための第２のＩＤコードを含んだ伝送コードを送信し、受信機２でこの伝送コードが受信された際に、モード制御部１８にこの伝送コードとイグニッションキー２１からのＯＮパルスが同時に供給されると、モード制御部１８は、ＯＮパルスの供給が停止してから時間Ｔ４が経た後に、信号処理部１４を付勢し、信号処理部１４から伝送コードの中の第２のＩＤコードをＩＤコード記憶部１５に供給して、ＩＤコード記憶部１５への第２のＩＤコードの書込みを行い、これと同時に、信号処理部１４からドアをロックする制御信号とドアをアンロックする制御信号とを時間Ｔ５の期間内に相次いで出力させ、それによってドアのロック錠を働かせることにより、第２のＩＤコードがＩＤコード記憶部１５に書込まれたことを知ることができる。
【００５７】
以下、さらに残存する第３のリモコン用送信機１の第３のＩＤコードの書込みを行う場合は、前の２つの操作手順と同じ操作手順を実行すれば、第３のＩＤコードがＩＤコード記憶部１５に書込まれ、その書込みが終わったことをドアのロック錠の動作によって知ることができる。
【００５８】
ところで、前述のようなＩＤコードの書込みを行うための操作手順は、信号処理部１４の動作モードがＩＤコード書込みモードに設定されてから時間Ｔ６を経過するまでの期間内、または、イグニッションキー２１がＯＮからＡＣＣに切替えられ、ＯＮパルスの供給が停止するまでの期間内に行わねばならないもので、これらの期間内であれば、図３に図示されているように、２つのＩＤコードの書込みを行う場合に留まらず、３つまたはそれ以上のＩＤコードの書込みを行うことができるものである。
【００５９】
そして、これらの期間が経過した後においては、モード制御部１８の制御により、信号処理部１４の動作モードがＩＤコード書込みモードから通常モードに戻るものである。
【００６０】
これら一連の操作手順において、時間Ｔ１、Ｔ２、Ｔ３は、いずれも、３０±１０ミリ秒から５±０．５秒の間に選ばれ、時間Ｔ４は、３０±１０ミリ秒、時間Ｔ５は、０．６±０．１秒、時間Ｔ６は、１０±１秒以内にそれぞれ選ばれるが、これらの時間は適宜変更可能なものである。また、これらの時間Ｔ１乃至Ｔ６の測定は、いずれもタイマー２０によって行われる。
【００６１】
さらに、図４は、本実施例のキーレスエントリー装置において、受信した伝送コード及び外部印加情報の第２の所定の供給状態に応答して、信号処理部１４の動作モードを制御信号出力停止モードに設定する場合の操作手順の一例を示す動作説明図である。
【００６２】
ここで、図４を用い、本実施例のキーレスエントリー装置を、通常モードから制御信号出力停止モードに設定する場合の操作手順の一例について説明する。
【００６３】
図４に示されるように、この操作は、信号処理部１４の動作モードを、通常モードからＩＤコード書込みモードに設定するまでの操作に続いて行われる。前述の第１の動作サイクル、第２の動作サイクル、第３の動作サイクル、第４の動作サイクルを順次経ることによって、信号処理部１４の動作モードがＩＤコード書込みモードに設定される。
【００６４】
そして、信号処理部１４の動作モードがＩＤコード書込みモードに設定され、信号処理部１４からドアをロックする制御信号とドアをアンロックする制御信号とを時間Ｔ５の期間内に相次いで出力されてから、イグニッションキー２１をＯＮ位置からＡＣＣ位置に切替え、モード制御部１８へのＯＮパルスの供給を停止し、ＩＤコード書込みモードを終了する。次いで、ＯＮパルスの供給を停止してから時間Ｔ７以内に、再びイグニッションキー２１をＡＣＣ位置からＯＮ位置に切替え、モード制御部１８にＯＮパルスを供給する。続いて、ＯＮパルスの供給を始めてから時間Ｔ７以内に、リモコン用送信機１の送信スイッチ３の中のロック、アンロック、パニックオフのいずれかのスイッチ（前に操作されているスイッチと同じスイッチ）を操作し、その操作に伴って得られる機能コードをリモコン用送信機１から送信し、受信した機能コードをモード制御部１８に供給する。モード制御部１８は、機能コードの供給が終了してから時間Ｔ４が経た後で、信号処理部１４を付勢し、信号処理部１４からドアをロックする制御信号とドアをアンロックする制御信号とを時間Ｔ５の期間内に相次いで出力させ、それによってドアのロック錠を働かせることにより、制御信号出力停止モードへの移行が進んでいることを知ることができる。そして、信号処理部１４からドアをロックする制御信号とドアをアンロックする制御信号とが出力される直前から時間Ｔ６が経過すると、または、時間Ｔ６以内にイグニッションキー２１をＯＮ位置からＡＣＣ位置に切替え、モード制御部１８にＯＦＦパルスを供給すると、モード制御部１８から制御機能停止コードが制御機能停止記憶部１９に供給され、制御機能停止記憶部１９が制御機能停止コードの書込みを行うことによって、信号処理部１４の動作モードが制御信号出力停止モードに設定される。
【００６５】
かかる一連の操作手順において、時間Ｔ１、Ｔ２、Ｔ３は、いずれも、３０±１０ミリ秒から５±０．５秒の間に選ばれ、時間Ｔ４は、３０±１０ミリ秒、時間Ｔ５は、０．６±０．１秒、時間Ｔ６は、１０±１秒以内、時間Ｔ７は、５±０．５秒にそれぞれ選ばれるが、これらの時間は適宜変更可能である。
【００６６】
また、図５は、本実施例のキーレスエントリー装置において、信号処理部１４の動作モードを制御信号出力停止モードに設定する場合の操作手順の他の例を示す動作説明図である。
【００６７】
ここで、図５を用い、本実施例のキーレスエントリー装置を、通常モードから制御信号出力停止モードに設定する場合の操作手順の他の例について説明する。
【００６８】
この操作手順は、既に述べた信号処理部１４の動作モードを、通常モードからＩＤコード書込みモードに設定する場合の第１乃至第４の動作サイクルのそれぞれにおいて、モード制御部１８にイグニッションキー２１からＯＮパルスが供給されている期間に、リモコン用送信機１の送信スイッチ３の中のロック、アンロック、パニックオフのいずれかのスイッチを２回づつ操作し、その２回の操作に伴って得られる２つの機能コードをリモコン用送信機１から送信し、受信した２つの機能コードをモード制御部１８に供給するようにしているものである。この場合、２つの機能コードをモード制御部１８に供給するタイミングは、イグニッションキー２１からＯＮパルスがモード制御部１８への供給が始まってから時間Ｔ１以内に最初の機能コードが供給され、最初の機能コードの供給が停止してから時間Ｔ２以内に２番目の機能コードが供給されるもので、第１乃至第３の動作サイクルにおいては、２番目の機能コードの供給が停止してから時間Ｔ３以内にイグニッションキー２１からＯＦＦパルスがモード制御部１８に供給されたときにそれらの動作サイクルが終了し、第４の動作サイクルにおいては、２番目の機能コードの供給が停止してから時間Ｔ４が経過したときにその動作サイクルが終了するものである。そして、第４の動作サイクルが終了してから時間Ｔ６が経過するまでの期間、モード制御部１８にイグニッションキー２１からＯＮパルスが供給され続け、しかも、リモコン用送信機１から何等の伝送コードも送信されず、モード制御部１８にも何等の伝送コードが供給されない場合に、この期間が終了するか、もしくは、この期間内にイグニッションキー２１からＯＮパルスの供給を停止させると、モード制御部１８から制御機能停止コードが制御機能停止記憶部１９に供給され、制御機能停止記憶部１９が制御機能停止コードの書込みを行うことによって、信号処理部１４の動作モードが制御信号出力停止モードに設定される。また、モード制御部１８は、第４の動作サイクルが終了した時点に、信号処理部１４を付勢し、信号処理部１４からドアをロックする制御信号とドアをアンロックする制御信号とを時間Ｔ５の期間内に相次いで出力させ、それによってドアのロック錠を働かせ、信号処理部１４の動作モードを制御信号出力停止モードに設定することの準備が行われたことを知らせるようにしている。
【００６９】
この一連の操作手順において、時間Ｔ１、Ｔ２、Ｔ３は、いずれも、３０±１０ミリ秒から５±０．５秒の間に選ばれ、時間Ｔ４は、３０±１０ミリ秒、時間Ｔ５は、０．６±０．１秒、時間Ｔ６は、１０±１秒にそれぞれ選ばれるが、これらの時間は適宜変更可能である。
【００７０】
ところで、本実施例においては、信号処理部１４の動作モードが制御信号出力停止モードに設定された場合であっても、リモコン用送信機１から伝送コードが送信される度毎に、伝送コードの中の数値（可変）コードは更新され続け、受信機２側でも、伝送コードの受信が行われる度毎に、その伝送コードの中の数値（可変）コードと比較される可変コード記憶部１６に記憶される数値（可変）コードも更新される。この理由は、信号処理部１４の動作モードが制御信号出力停止モードに設定されている場合においても、紛失したリモコン用送信機１の他に、複数個のリモコン用送信機１があって、それぞれ携帯者が異なっている場合、信号処理部１４の動作モードが制御信号出力停止モードに設定されていることを知らないリモコン用送信機１の携帯者が自己のリモコン用送信機１を操作し続けると、そのリモコン用送信機１側の数値（可変）コードが順次変更されるが、一方、信号処理部１４の動作モードが制御信号出力停止モードに設定されている場合に、受信機２側の可変コード記憶部１６に記憶される数値（可変）コードの更新を停止させたとすると、リモコン用送信機１側の数値（可変）コードとこの記憶される数値（可変）コードの差が許容範囲を超えてしまい、信号処理部１４の動作モードを通常モードに復帰設定した場合に、そのリモコン用送信機１からの伝送コードを受け付けることができなくなるためである。
【００７１】
なお、本実施例において、信号処理部１４の動作モードを制御信号出力停止モードに設定した場合に、伝送コード及び外部印加情報の第３の所定の供給状態を作り出してそれを通常モードの設定に復活させるためには、一例として、図４に示された操作手順によって制御信号出力停止モードに設定した場合、再び、図４に示された操作手順を実行する、または、図５に示された操作手順によって制御信号出力停止モードに設定した場合、再び、図５に示された操作手順を実行するようにすれば、信号処理部１４から制御機能停止コードを消去するコードが制御機能停止記憶部１９に供給され、制御機能停止記憶部１９に書込まれている制御機能停止コードが消去され、信号処理部１４の動作モードを制御信号出力停止モードから通常モードに復活設定させる。この場合、伝送コード及び外部印加情報の第３の所定の供給状態は、伝送コード及び外部印加情報の第２の所定の供給状態と同じである。
【００７２】
この他にも、信号処理部１４の動作モードを制御信号出力停止モードに設定した場合に、それを通常モードの設定に復活させるためには、信号処理部１４の動作モードがＩＤコード書込みモードに設定されてからＩＤコード記憶部１５に１つ以上の新たなＩＤコードの書込みを行い、その後、ＩＤコード書込みモードを終了させると、信号処理部１４から制御機能停止コードを消去するコードが制御機能停止記憶部１９に供給され、制御機能停止コードを消去することにより、通常モードに復活設定させるようにすればよい。
【００７３】
本実施例においては、信号処理部１４の動作モードの変更時、具体的には、通常モードからＩＤコード書込みモードに設定する場合、同じく、通常モードから制御信号出力停止モードに設定する場合、制御信号出力停止モードから通常モードに復活設定する場合のそれぞれにおいて、第１乃至第４の動作サイクルからなる４回の同じ動作サイクルを経る場合を例に挙げて説明したが、本発明における動作サイクルの繰返し回数は４回に限られるものではなく、３回または５回であってもよい。
【００７４】
また、本実施例においては、信号処理部１４の動作モードの変更時に、イグニッションキー２１からのＯＮパルスとリモコン用送信機１からのロック、アンロック、パニックオフのいずれかのスイッチ情報との組み合わせを用いる場合を例に挙げて説明したが、本発明による組み合わせは前述の場合に限られるものではなく、イグニッションキー２１からのＯＮパルスとパワーウインドウスイッチからのスイッチ情報の組み合わせ、または、イグニッションキー２１からのＯＮパルスの所定サイクルにしたがった繰返し供給であってもよい。
【００７５】
この場合、リモコン用送信機１からのスイッチ情報の併用時には、受信機２に登録されているリモコン用送信機１の正規のユーザーだけが信号処理部１４の動作モードを制御信号出力停止モードに設定することができる利点がある反面で、リモコン用送信機１からのスイッチ情報の非併用時には、リモコン用送信機１を紛失した場合に、他のリモコン用送信機１がなくても信号処理部１４の動作モードを制御信号出力停止モードに設定することができるという利点がある。
【００７６】
さらに、本実施例においては、通信装置がキーレスエントリー装置である場合を例に挙げて説明したが、本発明による通信装置はキーレスエントリー装置に限られるものではなく、キーレスエントリー装置に類似の他の通信装置であってもよいことは勿論である。
【００７７】
このように、本実施例によれば、１つ以上のリモコン用送信機１の中の１つのリモコン用送信機１を紛失した場合、受信機２側の信号処理部１４の動作モードを、通常モードから制御信号出力停止モードに設定することができるので、以後、紛失したリモコン用送信機１を用いた操作を行うことができなくなり、紛失したリモコン用送信機１の悪用を防止できる。
【００７８】
また、本実施例によれば、信号処理部１４の動作モードを変更するとき、即ち、通常モードからＩＤコード書込みモードに設定するとき、通常モードから制御信号出力停止モードに設定するとき、制御信号出力停止モードから通常モードに復活設定するときのそれぞれにおいて、同じ動作サイクルを複数回繰返す操作手順が主であって、その操作手順を経た後の僅かな操作手順が異なっているだけであるので、ユーザーにとってそれぞれの設定を行う際の操作手順を簡単に覚えることができる。
【００７９】
さらに、本実施例によれば、紛失したリモコン用送信機１が見つかった場合に、簡単な操作手順によって再使用することができる。
【００８０】
この他に、本実施例によれば、信号処理部１４の動作モードを制御信号出力停止モードから通常モードに復活設定する際に、ＩＤコード記憶部１５に新たなＩＤコードの書込みを行うようにすればよく、通信装置自体のセキュリテイを向上させることができる。
【００８１】
【発明の効果】
以上のように、本発明によれば、１つ以上の送信機の中の１つの送信機を紛失したような場合、受信機側の信号制御部の動作モードを、通常モードから制御信号出力停止モードに設定することができるので、以後、紛失した送信機を用いた操作ができなくなり、紛失した送信機の悪用が防止できるという効果がある。
【００８２】
また、本発明によれば、信号制御部の動作モードを、通常モードからＩＤコード書込みモードに設定するとき、通常モードから制御信号出力停止モードに設定するとき、制御信号出力停止モードから通常モードに復活設定するときのそれぞれにおいて、主として同じ動作サイクルを複数回繰返す操作手順からなり、その同じ操作手順を経た後の僅かな操作手順を異にしているだけであるので、ユーザーにとってそれぞれの設定を行う際の操作手順が簡単に覚えられるという効果がある。
【００８３】
さらに、本発明によれば、紛失した送信機が見つかった場合に、受信機側の信号制御部の動作モードを、簡単な操作手順で、制御信号出力停止モードから通常モードに設定し、紛失した送信機の再使用ができるという効果がある。
【図面の簡単な説明】
【図１】本発明に係わる通信装置の送信機の一実施例を示すブロック構成図である。
【図２】本発明に係わる通信装置の受信機の一実施例を示すブロック構成図である。
【図３】図２に図示された受信機において、信号制御部の動作モードをＩＤコード書込みモードに設定する操作手順の一例を示す動作説明図である。
【図４】図２に図示された受信機において、信号制御部の動作モードを制御信号出力停止モードに設定する操作手順の一例を示す動作説明図である。
【図５】図２に図示された受信機において、信号制御部の動作モードを制御信号出力停止モードに設定する操作手順の他の例を示す動作説明図である。
【図６】従来のキーレスエントリー装置の構成の一例を示す概略構成図である。
【符号の説明】
１  リモコン用送信機
２  受信機
３  送信スイッチ
４  カウント部
５  カウント数記憶部
６  可変コード変換部
７  機能コード変換部
８  ＩＤコード記憶部
９  伝送コード変換部
１０  送信部
１１  送信アンテナ
１２  受信アンテナ
１３  受信部
１４  信号処理部
１５  ＩＤコード記憶部
１６  可変コード記憶部
１７  機能コード記憶部
１８  モード制御部
１９  制御機能停止記憶部
２０  タイマー
２１  イグニッションキー
【図１】
0003748635.tif 000002
【図２】
0003748635.tif 000003
【図３】
0003748635.tif 000004
【図４】
0003748635.tif 000005
【図５】
0003748635.tif 000006
【図６】
0003748635.tif 000007